(57)【要約】【課題】電波状況の悪い場合でも、シンボルタイミング同期の誤り（誤同期、同期不検出）を低減することができるようにする。【解決手段】本発明は、複数のダイバーシチブランチを備える受信機において、それぞれ異なるアンテナ部により受信された直交周波数分割多重信号のシンボルタイミング同期を行う複数のシンボルタイミング同期手段を備え、複数のシンボルタイミング同期手段はそれぞれ、他のシンボルタイミング同期手段との間で相互に、ショートプリアンブルとロングプリアンブルとの境界タイミングを通知し、自身が検出した境界タイミングと、他のシンボルタイミング同期手段が検出した境界タイミングとに基づいて、当該受信した直交周波数分割多重信号のシンボルタイミング同期を行うものであることを特徴とする。【選択図】図１
2015084494.tif 000002
【特許請求の範囲】
【請求項１】
複数のダイバーシチブランチを備える受信機において、
それぞれ異なるアンテナ部により受信された直交周波数分割多重信号のシンボルタイミング同期を行う複数のシンボルタイミング同期手段を備え、
上記複数のシンボルタイミング同期手段はそれぞれ、他のシンボルタイミング同期手段との間で相互に、ショートプリアンブルとロングプリアンブルとの境界タイミングを通知し、自身が検出した上記境界タイミングと、他のシンボルタイミング同期手段が検出した上記境界タイミングとに基づいて、当該受信した直交周波数分割多重信号のシンボルタイミング同期を行うものである
ことを特徴とする受信機。
【請求項２】
上記複数のシンボルタイミング同期手段はそれぞれ、上記各シンボルタイミング同期手段が検出した上記境界タイミングのうち、最も遅く検出したものを、ショートプリアンブルとロングプリアンブルとの境界タイミングとするものであることを特徴とする請求項１に記載の受信機。
【請求項３】
上記各シンボルタイミング同期手段が、
受信された直交周波数分割多重信号のプリアンブルに含まれるシンボルを検出する検出部と、
上記検出部による検出結果に基づき信号区間長を計時すると共に、他のシンボルタイミング同期手段に対して計時した信号区間長を通知する時間計時部と、
上記時間計時部からの上記信号区間長に基づいて自ブランチのシンボルタイミングを判定するものであって、最後に検出したショートシンボルの終端時点からの上記信号区間長が所定長の場合に、他のシンボルタイミング同期手段から取得した、対応する他ブランチの信号区間長が所定長以上であるか否かに応じて、ショートプリアンブルとロングプリアンブルとの境界タイミングを判定するタイミング制御部と
を有することを特徴とする請求項１又は２に記載の受信機。
【請求項４】
上記タイミング制御部が、
上記最後に検出したショートシンボルの終端時点からの上記信号区間長が所定長の場合に、上記対応する他ブランチの信号区間長が所定長未満のとき、上記最後に検出したショートシンボルの終端時点から所定時間長までの区間の信号がショートシンボルであると判断し、
上記時間計時部により計時された当該信号区間長から所定時間長を減算した値を、新たな信号区間長とする
ことを特徴とする請求項３に記載の受信機。
【請求項５】
上記タイミング制御部が上記時間計時部により計時された当該信号区間長から減算する所定時間長が、ショートシンボル長であることを特徴とする請求項４に記載の受信機。
【請求項６】
上記タイミング制御部が、
上記最後に検出したショートシンボルの終端時点からの上記信号区間長が所定長の場合に、上記対応する他ブランチの信号区間長が所定長以上であるとき、当該最後に検出したショートシンボルの終端時点を、上記境界タイミングとして判断するものである
ことを特徴とする請求項３〜５のいずれかに記載の受信機。
【請求項７】
上記所定長は、ロングプリアンブルのガードインターバル長であることを特徴とする請求項３〜６のいずれかに記載の受信機。
【請求項８】
上記所定長は、ロングプリアンブルのガードインターバル長と、ダイバーシチブランチ間の遅延時間とを有するものであることを特徴とする請求項３〜６のいずれかに記載の受信機。
【請求項９】
複数のダイバーシチブランチを有する受信機で、それぞれ異なるアンテナ部により受信された直交周波数分割多重信号のシンボルタイミング同期を行うシンボルタイミング同期装置において、
他のシンボルタイミング同期手段との間で相互に、ショートプリアンブルとロングプリアンブルとの境界タイミングを通知し、自身が検出した上記境界タイミングと、他のシンボルタイミング同期手段が検出した上記境界タイミングとに基づいて、当該受信した直交周波数分割多重信号のシンボルタイミング同期を行うシンボルタイミング同期手段
を備えることを特徴とするシンボルタイミング同期装置。
【請求項１０】
複数のダイバーシチブランチを有する受信機で、それぞれ異なるアンテナ部により受信された直交周波数分割多重信号のシンボルタイミング同期を行うシンボルタイミング同期方法において、
複数のシンボルタイミング同期手段のそれぞれが、他のシンボルタイミング同期手段との間で相互に、ショートプリアンブルとロングプリアンブルとの境界タイミングを通知し、自身が検出した上記境界タイミングと、他のシンボルタイミング同期手段が検出した上記境界タイミングとに基づいて、当該受信した直交周波数分割多重信号のシンボルタイミング同期を行う
ことを特徴とするシンボルタイミング同期方法。
【発明の詳細な説明】
【技術分野】
【０００１】
本発明は、受信機に関し、例えば、空間ダイバーシチ機能を備えた直交周波数分割多重（ＯＦＤＭ：Orthogonal  Frequency  Division  Multiplexing）変調方式を用いたシンボルタイミング同期方法を行う受信機に適用し得るものである。
【背景技術】
【０００２】
従来、電波が建物等で反射し、反射した複数の電波が重なり合うことで、電波の瞬時的な振幅や位相の変動が発生してマルチパスフェージングが生じる。このようなマルチパスフェージングは端末の移動に伴って発生する。従って、端末のアンテナが異なるルートを移動すれば、全く異なるフェージング変動を受けることになる。ダイバーシチ技術は、このような特徴を活用して受信特性を改善する技術であり、例えば、端末において適当な間隔で２本のアンテナを配置し、端末の移動と共に、各アンテナにより受信される信号のフェージング変動は独立の変動となる。
【０００３】
ダイバーシチの種類の１つに、空間ダイバーシチがある。空間ダイバーシチにおいて、独立な複数のフェージングを受けた信号は、空間的に離れたアンテナによって得られる。空間ダイバーシチの場合、その構成が比較的単純であり、ダイバーシチブランチ数（すなわち、アンテナの本数）が任意の数に設定できる、帯域や送信電力を増す必要がない等の特徴があるので、多くのシステムに採用されている実用的な技術である。
【０００４】
従来、ＯＦＤＭ（直交波周波数分割多重）変調方式を用いた通信方式の場合、送信機から送信されるＯＦＤＭ信号（パケット信号）は、プリアンブル信号とデータ信号とから構成される。このうち、プリアンブル信号は、シンボルタイミング同期を確立するために、既知の複数の同期パターン（以下、ショートシンボルともいう。）を基本周期毎に繰り返して構成されるショートプリアンブルと、チャネル推定のために既知の同期パターン（以下、ロングシンボルともいう。）を繰り返して構成されるロングプリアンブルとからなり、ショートプリアンブルの後にロングプリアンブルが続いている。
【０００５】
ショートプリアンブルを用いたシンボルタイミングの同期確立手法は、まず、受信信号と既知の特定パターンとを用いて複素相関演算を行う。そして、その得られた相関値と閾値とを比較し、相関値が閾値を超えた場合に相関値のピーク（相関ピーク）を検出している。この相関ピークの検出が連続して検出され、所定時間が経過したタイミングでショートシンボルが検出されない場合、その時点でショートプリアンブルからロングプリアンブルに移ったと判断することできる。このショートプリアンブルとロングプリアンブルとの境界を検出することにより、同期が確立したと判定できる。なお、上述した所定の時間とは、例えば１つのショートプリアンブルの時間とすることができる。
【先行技術文献】
【特許文献】
【０００６】
【特許文献１】特開２００９−２３９５４８号公報
【非特許文献】
【０００７】
【非特許文献１】三瓶政一著，“ディジタルワイヤレス伝送技術‐基礎からシステム設計まで”，株式会社ピアソン・エデュケーション，２００２年９月，第１４６〜１５４頁
【発明の概要】
【発明が解決しようとする課題】
【０００８】
しかしながら、従来のＯＦＤＭ変調方式を用いた場合のシンボルタイミングの同期確立方式には、以下の２点の課題がある。
【０００９】
第１に、受信機において、ショートプリアンブルを受信中のときに、全てのショートシンボルを漏れなく検出することが必要となる。しかし、例えば、端末が置かれている外部環境やＡＧＣ（Automatic  Gain  Control）動作による受信電波信号の変動により、途中１回でもショートシンボルが検出できない場合、ショートプリアンブルの検出途中にも拘らず、ショートプリアンブルからロングプリアンブルに移ったものと誤った判断をしてしまい、ショートプリアンブルとロングプリアンブルとの境界を正しく検出することができなくなる。そうすると、その後に続くデータ信号を正しく解釈できず、受信エラーが発生するという誤同期が生じ得るという課題がある。
【００１０】
第２に、受信機において、ショートシンボルを１回も検出できなかった場合、データ信号の開始位置を解釈できず、受信エラーが発生するという同期不検出が生じ得るという課題がある。
【００１１】
本発明は、以上の課題に鑑みてなされたものであり、電波状況の悪い場合でも、シンボルタイミング同期の誤り（誤同期、同期不検出）を低減可能な受信機、シンボルタイミング同期装置及びシンボルタイミング同期方法を提供しようとするものである。
【課題を解決するための手段】
【００１２】
かかる課題を解決するために、第１の本発明は、複数のダイバーシチブランチを備える受信機において、それぞれ異なるアンテナ部により受信された直交周波数分割多重信号のシンボルタイミング同期を行う複数のシンボルタイミング同期手段を備え、複数のシンボルタイミング同期手段はそれぞれ、他のシンボルタイミング同期手段との間で相互に、ショートプリアンブルとロングプリアンブルとの境界タイミングを通知し、自身が検出した境界タイミングと、他のシンボルタイミング同期手段が検出した境界タイミングとに基づいて、当該受信した直交周波数分割多重信号のシンボルタイミング同期を行うものであることを特徴とする。
【００１３】
第２の本発明のシンボルタイミング同期装置は、複数のダイバーシチブランチを有する受信機で、それぞれ異なるアンテナ部により受信された直交周波数分割多重信号のシンボルタイミング同期を行うシンボルタイミング同期装置において、他のシンボルタイミング同期手段との間で相互に、ショートプリアンブルとロングプリアンブルとの境界タイミングを通知し、自身が検出した境界タイミングと、他のシンボルタイミング同期手段が検出した境界タイミングとに基づいて、当該受信した直交周波数分割多重信号のシンボルタイミング同期を行うシンボルタイミング同期手段を備えることを特徴とする。
【００１４】
第３の本発明は、複数のダイバーシチブランチを有する受信機で、それぞれ異なるアンテナ部により受信された直交周波数分割多重信号のシンボルタイミング同期を行うシンボルタイミング同期方法において、複数のシンボルタイミング同期手段のそれぞれが、他のシンボルタイミング同期手段との間で相互に、ショートプリアンブルとロングプリアンブルとの境界タイミングを通知し、自身が検出した境界タイミングと、他のシンボルタイミング同期手段が検出した境界タイミングとに基づいて、当該受信した直交周波数分割多重信号のシンボルタイミング同期を行うことを特徴とする。
【発明の効果】
【００１５】
本発明によれば、電波状況の悪い場合でも、シンボルタイミング同期の誤り（誤同期、同期不検出）を低減することができる。
【図面の簡単な説明】
【００１６】
【図１】実施形態に係る受信機の構成を示す構成図である。
【図２】実施形態に係る受信機の復調部の内部構成を示す内部構成図である。
【図３】実施形態に係る受信機のシンボルタイミング同期部の内部構成を示す構成図である。
【図４】実施形態に係る受信機におけるシンボルタイミング同期部の処理動作を示すフローチャートである。
【図５】実施形態に係る受信機におけるシンボルタイミング同期部の処理動作を示すフローチャートである。
【図６】実施形態に係る受信機が３個以上のブランチ数を備える場合のシンボルタイミング同期部の処理動作を示すフローチャートである。
【図７】実施形態に係るカウンタ部における動作を説明する説明図である（その１）。
【図８】実施形態に係るカウンタ部における動作を説明する説明図である（その２）。
【図９】実施形態に係るカウンタ部における動作を説明する説明図である（その３）。
【図１０】実施形態に係るシンボルタイミング同期部によるシンボルタイミング同期の動作例を説明する説明図である（その１）。
【図１１】実施形態に係るシンボルタイミング同期部によるシンボルタイミング同期の動作例を説明する説明図である（その２）。
【発明を実施するための形態】
【００１７】
（Ａ）主たる実施形態
以下、本発明の受信機、シンボルタイミング同期装置及びシンボルタイミング同期方法の実施形態を、図面を参照しながら詳細に説明する。
【００１８】
この実施形態では、ＯＦＤＭ変調方式を採用した通信方式に対応するものであり、空間ダイバーシチ機能を備えて受信機に本発明を適用する場合を例示する。
【００１９】
（Ａ−１）実施形態の構成
（Ａ−１−１）受信機の構成
図１は、実施形態に係る受信機１の構成を示す構成図である。図１において、この実施形態に係る受信機１は、アンテナ部１０、復調部１１、シンボルタイミング同期部１５、ガードインターバル（ＧＩ）除去部１４、直列−並列（Ｓ／Ｐ）変換部１２、離散フーリエ変換（ＤＦＴ）部１３、アンテナ部２０、復調部２１、シンボルタイミング同期部２５、ガードインターバル（ＧＩ）除去部２４、直列−並列（Ｓ／Ｐ）変換部２２、離散フーリエ変換（ＤＦＴ）部２３、ダイバーシチ合成部３０−１〜３０−Ｌ、並列−直列（Ｐ／Ｓ）変換部３３、判定部３４を有する。
【００２０】
この実施形態に係る受信機１は、空間ダイバーシチ機能を備えたＯＦＤＭ受信機であり、ダイバーシチブランチ（以下、単にブランチともいう。）の数は２個とする場合を例示している。また、この実施形態において、ダイバーシチブランチに関して、必要に応じて、ダイバーシチブランチ（ブランチ）５１、ダイバーシチブランチ（ブランチ）５２と表現する。
【００２１】
また、ＯＦＤＭ変調方式で用いる搬送波を分散する搬送波数（サブキャリア数）を「Ｌ」としている。
【００２２】
図示しない送信機は、情報ビット列をベースバンド（基底帯域）で符号化し、搬送波周波数（高周波）帯域に変換する。その変調された信号は、送信機のアンテナ部による空間に放射され、受信機１のアンテナ部１０及びアンテナ部２０に捕捉（受波）される。
【００２３】
アンテナ部１０は、捕捉（受波）した電波を電気信号に変換して復調部１１に与えるものである。
【００２４】
復調部１１は、アンテナ部１０からの信号から搬送波周波数帯域の信号成分を抽出し、その搬送波周波数帯域の信号を復調して、ベースバンドのデジタル信号を再生するものであり、再生したベースバンドのデジタル信号をＧＩ除去部１４及びシンボルタイミング同期部１５に与えるものである。
【００２５】
シンボルタイミング同期部１５は、復調部１１からベースバンドのデジタル信号を取得し、ベースバンドのデジタル信号における各々のＯＦＤＭシンボルの境界（すなわち、ガードインターバル部を取り除くタイミング）を特定するものである。つまり、シンボルタイミング同期部１５は、ベースバンドのデジタル信号と既知の特定パターンとを用いて複素相関演算を行ない、その相関値と閾値とを比較し、相関値が閾値を超えた場合に相関ピークを検出する。そして、相関ピークの検出が連続して検出され、所定時間が経過したタイミングでショートシンボルが検出されない場合、その時点でショートプリアンブルからロングプリアンブルに移ったと判断する。シンボルタイミング同期部１５は、特定した各ＯＦＤＭシンボルの境界をＧＩ除去部１４に通知する。
【００２６】
また、シンボルタイミング同期部１５は、ショートシンボルの終端からの経過時間をカウントし、そのカウント値（すなわち、ショートシンボル終端からの経過時間）を他のブランチのシンボルタイミング同期部２５に通知するものである。
【００２７】
ＧＩ除去部１４は、シンボル間干渉を低減させるため、シンボルタイミング同期部１５からの各ＯＦＤＭシンボルの境界を示す情報（ガードインターバルを取り除くタイミング）に基づいて、復調部１１からのベースバンドのデジタル信号からガードインターバル部を除去するものである。ＧＩ除去部１４は、ガードインターバル除去後のデジタル信号をＯＦＤＭシンボル単位でＳ／Ｐ変換部１２に与えるものである。
【００２８】
Ｓ／Ｐ変換部１２は、ＧＩ除去部１４からガードインターバル除去後のＯＦＤＭシンボル単位のベースバンドのデジタル信号を取得し、そのＯＦＤＭシンボル単位のベースバンドのデジタル信号を直並列変換して、時間方向でＬ個分（Ｌは搬送波の数を示す。）の標本値を蓄積し、一括してＤＦＴ部１３に与えるものである。つまり、Ｓ／Ｐ変換部１２は、時系列的に伝送されてきた直列のデジタル信号をＬ個の並列回路に分散し、Ｌ個のベースバンドのデジタル信号の標本値をＤＦＴ部１３に与える。
【００２９】
ＤＦＴ部１３は、Ｓ／Ｐ変換部１２からＬ個のベースバンドのデジタル信号を離散フーリエ変換により、時間軸上の信号波形から周波数軸上の信号成分に変換して、Ｌ個の各搬送波（サブキャリア）により変調されていたベースバンド信号を分離するものである。ＤＦＴ部１３は、離散フーリエ変換により得られたＬ個のベースバンド信号をそれぞれ、ダイバーシチ合成部３０−１〜３−Ｌに与えるものである。
【００３０】
アンテナ部２０は、捕捉（受波）した電波を電気信号に変換して復調部２１に与えるものである。
【００３１】
復調部２１は、アンテナ部２０からの信号から搬送波周波数帯域の信号成分を抽出し、その搬送波周波数帯域の信号を復調して、ベースバンドのデジタル信号を再生するものであり、再生したベースバンドのデジタル信号をＧＩ除去部２４及びシンボルタイミング同期部２５に与えるものである。
【００３２】
シンボルタイミング同期部２５は、復調部２１からベースバンドのデジタル信号を取得し、ベースバンドのデジタル信号における各々のＯＦＤＭシンボルの境界を特定するものである。つまり、シンボルタイミング同期部２５は、ベースバンドのデジタル信号と既知の特定パターンとを用いて複素相関演算を行ない、その相関値と閾値とを比較し、相関値が閾値を超えた場合に相関ピークを検出する。そして、相関ピークの検出が連続して検出され、所定時間が経過したタイミングでショートシンボルが検出されない場合、その時点でショートプリアンブルからロングプリアンブルに移ったと判断する。シンボルタイミング同期部２５は、特定した各ＯＦＤＭシンボルの境界をＧＩ除去部２４に通知する。
【００３３】
また、シンボルタイミング同期部２５は、ショートシンボルの終端からの経過時間をカウントし、そのカウント値（すなわち、ショートシンボル終端からの経過時間）を他のブランチのシンボルタイミング同期部１５に通知するものである。
【００３４】
ＧＩ除去部２４は、シンボル間干渉を低減させるため、シンボルタイミング同期部２５からの各ＯＦＤＭシンボルの境界を示す情報に基づいて、復調部２１からのベースバンドのデジタル信号からガードインターバル部を除去するものである。ＧＩ除去部２４は、ガードインターバル除去後のデジタル信号をＯＦＤＭシンボル単位でＳ／Ｐ変換部２２に与えるものである。
【００３５】
Ｓ／Ｐ変換部２２は、ＧＩ除去部１４からガードインターバル除去後のＯＦＤＭシンボル単位のベースバンドのデジタル信号を取得し、そのＯＦＤＭシンボル単位のベースバンドのデジタル信号を直並列変換して、時間方向でＬ個分の標本値を蓄積し、一括してＤＦＴ部２３に与えるものである。つまり、Ｓ／Ｐ変換部２２は、時系列的に伝送されてきた直列のデジタル信号をＬ個の並列回路に分散し、Ｌ個のベースバンドのデジタル信号の標本値をＤＦＴ部２３に与える。
【００３６】
ＤＦＴ部２３は、Ｓ／Ｐ変換部２２からＬ個のベースバンドのデジタル信号を離散フーリエ変換により、時間軸上の信号波形から周波数軸上の信号成分に変換して、Ｌ個の各搬送波（サブキャリア）により変調されていたベースバンド信号を分離するものである。ＤＦＴ部２３は、離散フーリエ変換により得られたＬ個のベースバンド信号をそれぞれ、ダイバーシチ合成部３０−１〜３−Ｌに与えるものである。
【００３７】
ダイバーシチ合成部３０−１〜３０−Ｌは、２個のブランチのＤＦＴ部１３及びＤＦＴ部２３から、離散フーリエ変換されたＬ個のベースバンド信号を取得し、同じ搬送波周波数（すなわち、同じサブキャリア番号）を所定の方法により合成して、１個の受信信号としてＰ／Ｓ変換部３３に与えるものである。ここで、ダイバーシチ合成部３０−１〜３０−Ｌによる合成手法は、例えば、選択合成法または最大比合成法などのように種々の既存技術を広く適用することができる。ダイバーシチ合成部３０−１〜３０−Ｌにおける処理の詳細な説明は省略する。
【００３８】
Ｐ／Ｓ変換部３３は、ダイバーシチ合成部３０−１〜３０−ＬからＬ個の各搬送波に関するベースバンド信号を並直列変換し、時間方向でＬ個分の標本値として判定部３４に与えるものである。
【００３９】
判定部３４は、Ｐ／Ｓ変換部３３からのベースバンド信号に対して復号処理等を行い、元の情報ビット列を再生するものである。
【００４０】
なお、この実施形態では、受信機１のブランチ数が２個の場合を例示しているが、ブランチ数は３個以上であっても良い。その場合でも、各ブランチの構成は、図１に例示する構成と同一又は対応する構成とすることができる。すなわち、各ブランチは、アンテナ部、復調部、シンボルタイミング同期部、ＧＩ除去部、Ｓ／Ｐ変換部１２、ＤＦＴ変換部１３を有する。また、ダイバーシチ合成部３０−１〜３０−Ｌは、全てのブランチのＤＦＴ部からの受信信号を入力するようにする。
【００４１】
また、ブランチ数が３個以上の場合、それぞれのブランチのシンボルタイミング同期部からショートシンボル終端からの経過時間を、他の全てのブランチのシンボルタイミング同期部に通知する。
【００４２】
（Ａ−１−２）復調部の詳細な構成
図２は、実施形態に係る受信機１の復調部１１及び２１の内部構成を示す内部構成図である。復調部１１及び２１は、それぞれ同一の構成を備えるものである。
【００４３】
図２において、実施形態に係る復調部１１及び２１は、バンドパスフィルタ（ＢＰＦ）１０１、ＡＧＣアンプ１０２、ダウンコンバータ１０３、局部発振器１０４、ローパスフィルタ（ＬＰＦ）１０７、アナログ−デジタル（Ａ／Ｄ）変換部１０８、ローパスフィルタ（ＬＰＦ）１０５、ＡＧＣ制御部１０６を有する。
【００４４】
バンドパスフィルタ（ＢＰＦ）１０１は、搬送波周波数の変調周波数を取り出すために、アンテナ部１０又はアンテナ部２０からの信号を、所望の搬送波周波数を中心とした所定の帯域の信号成分を通過させることにより、搬送波周波数帯域の変調信号を抽出し、その搬送波周波数帯域の変調信号をＡＧＣアンプ１０２に与えるものである。
【００４５】
ＡＧＣアンプ１０２は、入力レベルに合わせた受信利得を調整するため、バンドパスフィルタ１０１からの搬送波周波数帯域の変調信号に対して所定の利得を付与し、利得を付与した後の信号をダウンコンバータ１０３に与えるものである。ＡＧＣアンプ１０２は、ＡＧＣ制御部１０６の制御を受けて、搬送波周波数帯域の変調信号に付与する利得を決定している。
【００４６】
なお、この実施形態では、ＢＦＰ１０１の出力とダウンコンバータ１０３への入力との間に、ＡＧＣアンプ１０２を１個だけ設ける場合を例示している。しかし、受信利得を調整することができるのであれば、ＡＧＣアンプ１０２は、別の位置若しくは複数個が配置されるようにしても良い。例えば、図２に例示するＡＧＣアンプ１０２に加えて、ダウンコンバータ１０３の出力とＬＰＦ１０７への入力との間、または、ＬＰＦ１０７の出力とＡ／Ｄ変換部１０８への入力との間に、別のＡＧＣアンプを追加して複数個のＡＧＣアンプが配置されるようにしても良い。いずれの場合でも、本発明の一般性を損なうことはない。そのため、この実施形態では、ＡＧＣアンプ１０２をＢＦＰ１０１の出力とダウンコンバータ１０３への入力との間の１個だけとした場合のみを例示している。
【００４７】
ダウンコンバータ１０３は、ＡＧＣアンプ１０２からの搬送波周波数帯域の変調信号と局部発振器１０４からの基準信号とを乗算してベースバンド信号を再生し、ベースバンド信号をＬＰＦ１０５に与えるものである。
【００４８】
なお、この実施形態では、ダウンコンバータ１０３がダイレクトコンバージョンを想定し、基準信号の周波数を搬送波周波数と同一とすることで、直接ベースバンド信号を再生する場合を例示する。しかし、ダウンコンバータ１０３は、一旦、搬送波周波数帯域とベースバンドの中間となる周波数帯域の信号に変換後、ベースバンド信号に変換する方法等を適用するようにしても良い。いずれの方法でも、ダウンコンバータは本発明の一般性を損なうことはないため、ここではダウンコンバータ１０３がダイレクトコンバージョンを行うことを想定して説明する。
【００４９】
ローパスフィルタ（ＬＰＦ）１０７は、ダウンコンバータ１０３からのベースバンド信号を、所定の周波数以下の帯域の信号成分のみを通過させることにより、不要な信号成分を取り除いた信号をＡ／Ｄ変換部１０８に与えるものである。つまり、ＬＰＦ１０７は、受信信号から付加雑音成分を除いた希望信号を抽出するための周波数帯域以下の信号成分を通過させる。ＬＰＦ１０７は、アナログフィルタを適用することができるため、その実装の容易さから、希望信号の帯域幅と同一かつ急峻な特性を実現することが困難な場合もあるため、通常は希望信号の帯域よりも少し広い通過帯域幅とすることが望ましい。
【００５０】
Ａ／Ｄ変換部１０８は、ＬＰＦ１０７からのアナログ信号を所定の周波数で標本化し、量子化したデジタル信号に変換し、ＬＰＦ１０５に出力するものである。
【００５１】
ローパスフィルタ（ＬＰＦ）１０５は、Ａ／Ｄ変換部１０８からのデジタル信号を、所定の周波数以下の帯域のみを通過させることにより、不要な成分を取り除いた信号を、ＧＩ除去部（図１のＧＩ除去部１４又は２４）及びシンボルタイミング同期部（図１のシンボルタイミング同期部１５又は２５）と、ＡＧＣ制御部１０６とに与える。ＬＰＦ１０５は、例えば、ＦＩＲ（有限インパルス応答）等によるデジタルフィルタを用いることができ、ＬＰＦ１０７を通過した希望信号よりも広い帯域幅を持つ信号を、希望信号の帯域幅に制限することができる。
【００５２】
ＡＧＣ制御部１０６は、受信機１内の各構成部の入出力信号のレベル値（電力値）が所定の範囲に維持されるように、ＡＧＣアンプ１０２の利得を決定し、その利得をＡＧＣアンプ１０２に与えるものである。つまり、ＡＧＣ制御部１０６は、各構成部（各回路素子）が出力可能な電圧値の上限値及び下限値を保持しており、信号レベル値が上限値よりも大きくなったり又は下限値よりも小さくなったりすると、信号の振幅が各構成部（各回路素子）の電圧値と比例しなくなり、信号波形を正しく再現できなくなる。従って、ＡＧＣ制御部１０６は、信号レベル値が上限値と下限値の間の適切な値に維持するためにＡＧＣアンプ１０２の利得を決定する。具体的には、ＡＧＣ制御部１０６は、Ａ／Ｄ変換部１０８からのベースバンド信号のレベル値（電力値）を観測し、ベースバンド信号のレベルを平滑化するため、所定時間内の積分値を計算する。そして、この積分値が所定の目標値に収束するように、ＡＧＣ制御部１０６はＡＧＣアンプ１０２の利得を決定する。
【００５３】
なお、この実施形態では、ＡＧＣ制御部１０６がＬＰＦ１０５からの出力信号を入力して、その信号の電力値の積分値を計算する場合を例示する。しかし、ＡＧＣ制御部１０６は、ＢＰＦ１０１の出力信号、ＡＧＣアンプ１０２の出力信号、ダウンコンバータ１０３の出力信号、ＬＰＦ１０７の出力信号、又は、Ａ／Ｄ変換部１０８の出力信号のいずれかを入力し、その信号の電力値の積分値を計算するようにしても良い。上記のように、いずれの出力信号がＡＧＣ制御部１０６に入力される場合でも、ＡＧＣ制御部１０６は本発明の一般性を損なうことはないため、ここでは電力の積分値が計算される受信信号（ＡＧＣ制御部１０６への入力信号）をＬＰＦ１０５の出力信号とした場合を例示する。
【００５４】
（Ａ−１−３）シンボルタイミング同期部の詳細な構成
図３は、実施形態に係る受信機１のシンボルタイミング同期部１５又は２５の内部構成を示す構成図である。シンボルタイミング同期部１５又は２５は、それぞれ同一の構成を備えるものである。
【００５５】
図３において、実施形態に係るシンボルタイミング同期部１５又は２５は、相関部２０１、ピーク検出部２０２、カウンタ部２０３、タイミング制御部２０４を有する。
【００５６】
相関部２０１は、復調部１１又は２１からの受信信号と、相関部２０１に備えられたショートプリアンブル信号（特定パターン信号）との相関値を演算し、その相関値をピーク検出部２０２に与える。相関部２０１によるシンボルタイミングの同期方法は、自己相関型や相互相関型などを適用することができるが、いずれの方法でも本発明の一般性を損なうことはないため、ここでは相互相関型を想定した場合を例示する。
【００５７】
ピーク検出部２０２は、相関部２０１により演算された相関値と所定の閾値とを比較し、前記相関値が前記閾値よりも大きい場合、ピーク（相関ピークともいう。）を検出したと判定するものである。
【００５８】
カウンタ部２０３は、ピーク検出位置（ショートシンボル終端）からの経過時間を観測するものである。カウンタ部２０３は、ピーク検出位置からの経過時間（すなわちカウント値）を、タイミング制御部２０４と他のブランチのシンボルタイミング同期部に与えるものである。なお、カウンタ部２０３の詳細な処理動作については動作説明の項で詳細に説明する。
【００５９】
タイミング制御部２０４は、カウンタ部２０３により観測されたピーク検出位置からの経過時間（すなわち、自身のブランチのカウンタ部２０３のカウント値）と、他のブランチのシンボルタイミング同期部において観測されたピーク検出位置からの経過時間（すなわち、他のブランチのシンボルタイミング同期部のカウンタ部２０３のカウント値）とを取得し、これらカウント値に基づいて、受信信号のプリアンブルにおけるショートプリアンブルとロングプリアンブルとの境界を判定し、それぞれのＯＦＤＭシンボルの境界をＧＩ除去部１４に通知するものである。なお、タイミング制御部２０４の詳細な処理動作については動作説明の項で詳細に説明する。
【００６０】
（Ａ−２）実施形態の動作
（Ａ−２−１）全体動作
まず、この実施形態に係る受信機１に対向する送信機において、情報ビット列がベースバンド（基底帯域）で符号化され、搬送波周波数（高周波）帯域に変調される。その変調信号は、送信機のアンテナ部から空間に放射され、受信機１のアンテナ部１０及びアンテナ部２０に捕捉される。
【００６１】
受信機１において、各ブランチのアンテナ部１０及びアンテナ部２０により捕捉された電波は電気信号に変換されて復調部１１及び復調部２１に与えられる。各ブランチの復調部１１及び復調部２１では、搬送波周波数帯域の変調信号が抽出されて、ベースバンドのデジタル信号が再生され、ベースバンド信号が、ＧＩ除去部１４及び２４と、シンボルタイミング同期部１５及び２５とに与えられる。
【００６２】
各ブランチのシンボルタイミング同期部１５及び２５では、復調部１１及び２１からのベースバンドのデジタル信号における、個々のＯＦＤＭシンボルの境界が特定されてＧＩ除去部１４及び２４に通知される。
【００６３】
一方、各ブランチのＧＩ除去部１４及び２５では、各ブランチのシンボルタイミング同期部１５及び２５からＯＦＤＭシンボルの境界を示す情報に基づいて、ガードインターバル部が除去され、ガードインターバルが除去されたベースバンド信号がＯＦＤＭシンボル単位でＳ／Ｐ変換部１２及び２２に与えられる。
【００６４】
各ブランチのＳ／Ｐ変換部１２及び２２において、ガードインターバル部が除去されたＯＦＤＭシンボル単位でのベースバンドのデジタル信号は、直並列変換により、時間方向でＬ個分の標本値を蓄積し、一括してＤＦＴ部１３及び２３に入力される。
【００６５】
ＤＦＴ部１３及び２３に入力されたＬ個のベースバンド信号は、離散フーリエ変換によってＬ個の各搬送波（サブキャリア）周波数により変調されていたベースバンド信号に分離され、それぞれ別のダイバーシチ合成部３０−１〜３０−Ｌに入力される。
【００６６】
ダイバーシチ合成部３０−１〜３０−Ｌでは、同じ搬送波周波数（同じサブキャリア番号）の２個のブランチからの受信信号を所定の方法により合成し、１つの受信信号としてＰ／Ｓ変換部３３に出力する。
【００６７】
並直列変換部３３に入力されたＬ個の各搬送波に関するベースバンド信号は、並直列変換され、時間方向でＬ個分の標本値として、判定部３４に入力される。
【００６８】
判定部３４に入力されたベースバンド信号は、復号等の処理を行うことにより、元の情報ビット列として再生される。
【００６９】
（Ａ−２−２）ブランチ間の時間差がない場合のシンボルタイミング同期部１５又は２５の動作
次に、タイミング制御部２０４が自ブランチの受信信号において、ショートプリアンブルとロングプリアンブルの境界を検出するが、各ブランチがショートプリアンブルとロングプリアンブルの境界を検出した時間のうち、最も遅い時間を、全てのブランチのショートプリアンブルとロングプリアンブルの境界と判断する処理を説明する。
【００７０】
まず、ここでは、各ダイバーシチブランチのアンテナ部１０及びアンテナ部２０に入力される信号の時間差はないと仮定する場合を説明する。
【００７１】
図４は、この実施形態に係る受信機１におけるシンボルタイミング同期部１５又は２５の処理動作を示すフローチャートである。
【００７２】
以降の説明では、時間は標本化周期で正規化されたものとする。すなわち、実時間をｔとすると、正規化された時間は、ｔ／（標本化周期）となる。また、ショートシンボル長、ロングプリアンブルのＧＩ長をそれぞれ、Ｔｐ，ＴＧＩ２とする。このとき、ショートシンボル長ＴｐとロングプリアンブルのＧＩ長ＴＧＩ２とは、ＴＧＩ２＞Ｔｐの関係であり、例えばＩＥＥＥ８０２．１１ａ／ｇ規格の場合、ＴＧＩ２＝２Ｔｐの関係とする。
【００７３】
相関部２０１において、復調部１１からのベースバンドのデジタル信号が入力されると（Ｓ１）、相関部２０１は、ベースバンドのデジタル信号と、相関部２０１に備えられているショートプリアンブル信号の特定パターン（例えば、ショートシンボルの繰り返しパターン）との相関値を求める（Ｓ２）。
【００７４】
ピーク検出部２０２は、相関部２０１により演算された相関値が所定の閾値よりも大きいか否かを判定する（Ｓ３）。そして、前記相関値が前記閾値よりも大きいと判定した場合、ピーク検出部２０２はピークを検出したと判定し、ピーク検出信号をカウンタ部２０３に出力する（Ｓ４）。また、前記相関値が前記閾値以下と判定した場合、前記受信信号の相関値演算範囲の開始位置及び終了位置をそれぞれ１クロック（１標本化周期）進め、再び、前記受信信号と、相関部２０１に備えられたショートプリアンブル信号との相関値を演算する（Ｓ２）。
【００７５】
カウンタ部２０３は、ピーク検出部２０２からピーク検出信号が入力されると（Ｓ４）、カウンタ値を初期化し、その値を「１」に設定する（Ｓ５）。
【００７６】
続いて、カウンタ部２０３は、ショートシンボル長Ｔｐ経過するまで、カウンタ値をカウントする。すなわち、１クロック（＝標本化周期）毎に「１」ずつ増加することで、ショートシンボル長Ｔｐ経過後にカウンタ２０３のカウンタ値はＴｐとなる（Ｓ６）。この時点で、カウンタ部２０３は、ピーク検出部２０２からのピーク検出信号が再び入力されたか否かを判定する（Ｓ７）。
【００７７】
図７は、カウンタ部２０３における動作を説明する説明図である。図７に示すように、ピーク検出信号がピーク検出回路部２０３に通知されると（Ｓ３０１）、カウンタ部２０３はカウンタ値を「１」に初期化する（Ｓ３０２）。
【００７８】
Ｓ７において、ピーク検出部２０２からのピーク検出信号がカウンタ部２０３に再び入力された場合、過去の「２Ｔｐ」の間に２回連続でショートシンボルを受信したと判断する。
【００７９】
すなわち、図７のように、ピーク検出信号がカウンタ部２０３に入力すると（Ｓ３０４）、現在の時間を「０」とした場合に「−２Ｔｐ〜Ｔｐ」の受信信号はショートシンボルであると判断し（Ｓ３０４）、また、「−Ｔｐ〜０」の受信信号もショートシンボルであると判断する（Ｓ３０５）。この場合、引き続きショートシンボルを受信するか否かを判定するため（すなわち、続くＴｐの間（例えば、現在の時間を「０」とすると、「０〜Ｔｐ」の期間）の受信信号がショートシンボルであるか否かを判定するため）、カウンタ部２０３は、カウンタを初期化し、カウンタ値を「１」に設定する（Ｓ５）。
【００８０】
一方、Ｓ７において、ピーク検出部２０２からピーク検出信号がカウンタ部２０３に入力されない場合には、次のような動作が行なわれる。
【００８１】
図８及び図９は、カウンタ部２０３における動作を説明する説明図である。Ｓ７以降のカウンタ部２０３の動作を、図８及び図９の説明図も用いて説明する。
【００８２】
Ｓ７において、ピーク検出部２０２からのピーク検出信号がカウンタ部２０３に入力されない場合（Ｓ４０１）、過去「Ｔｐ」の間（現在の時間を「０」とすると、「−Ｔｐ〜０」の期間）の受信信号はショートシンボルではないと判断し（Ｓ４０２）、これよりも前のＴｐの間（現在の時間を「０」とすると、「−２Ｔｐ〜−Ｔｐ」の期間）の受信信号が連続したショートシンボルのうち最後のショートシンボルであると判断する（Ｓ４０３）。すなわち、ショートプリアンブルとロングプリアンブルとの境界は、現在からＴｐ遡った時間（現在の時間を「０」とすると、「−Ｔｐ」の時点）であると判断する（Ｓ４０４）。 
この場合、カウンタ部２０３は、カウンタ値のカウントを継続し、カウンタ値を初期化したタイミングを基点とした場合、ロングプリアンブルのＧＩ長ＴＧＩ２が経過するまでカウンタ値をカウントする（Ｓ４０５）。すなわち、カウンタ部２０３は、現在を基点とした場合、「ＴＧＩ２−Ｔｐ」が経過するまでカウンタ値をカウントする。具体的には、１クロック毎に「１」増加することで、ＴＧＩ２経過後にカウンタ部２０３のカウンタ値は「ＴＧＩ２」となる（Ｓ８）。
【００８３】
ここで、上述したように、タイミング制御部２０４には、他ブランチのシンボルタイミング同期部内のカウンタ部２０３のカウンタ値が与えられる。
【００８４】
タイミング制御部２０４は、他のブランチのシンボルタイミング同期部のカウンタ部２０３のカウンタ値が「ＴＧＩ２」であるか否かを判定する（Ｓ１００）。
【００８５】
例えば、自身がシンボルタイミング同期部１５の場合、他ブランチのシンボルタイミング同期部２５内のカウンタ部２０３のカウンタ値が「ＴＧＩ２」であるかを判定する。また例えば、自身がシンボルタイミング同期部２５の場合、他ブランチのシンボルタイミング同期部１５内のカウンタ部２０３のカウンタ値が「ＴＧＩ２」であるかを判定する。これは、自ブランチよりも遅くショートプリアンブルとロングプリアンブルの境界を検出することになる他ブランチが存在するか否かを判定するためである。
【００８６】
Ｓ１００において、他ブランチのシンボルタイミング同期部内のカウント値が「ＴＧＩ２」であると判定した場合（図８のＳ４０６）、他ブランチではロングプリアンブルとショートプリアンブルの境界を検出後、ロングプリアンブルのＧＩ長「ＴＧＩ２」以上経過しているということであり、具体的には、以下の［１］または［２］であると判断する。
【００８７】
［１］他ブランチも自ブランチと同様、過去ＴＧＩ２の間（現在の時間を「０」とすると、「−ＴＧＩ２〜０」の期間）の受信信号はショートシンボルではなく、これよりも前のＴｐの間（現在の時間を「０」とすると、「−ＴＧＩ２−Ｔｐ」〜「−ＴＧＩ２」の期間）の受信信号が連続したショートシンボルのうち最後のショートシンボルであると判断する。すなわち、ショートプリアンブルとロングプリアンブルとの境界は現在からＴＧＩ２遡った時間（現在の時間を「０」とすると、「−ＴＧＩ２」の時点）である（図８のＳ４０７）。
【００８８】
［２］他ブランチでは１つ前のフレームの受信完了後、一度もピークが検出されていないと判断する。この場合、Ｓ２とＳ３の間を繰り返し移行するため、Ｓ５でのカウンタ値の初期化はされず、前回フレーム受信時にＳ８で最後に設定されたカウンタ値「ＴＧＩ２」を維持していると判断する。なお、受信機起動時（すなわち最初のフレームを受信する前）に、カウンタ部２０３のカウンタ値は「ＴＧＩ２」に設定しておくものとする。したがって、自ブランチが検出したショートプリアンブルとロングプリアンブルとの境界は正しいとみなし、Ｓ９に移行する。
【００８９】
一方、Ｓ１００において、他ブランチのシンボルタイミング同期部内のカウント値が「ＴＧＩ２」でないと判定した場合（図９のＳ４０７）、他ブランチでは、ロングプリアンブルとショートプリアンブルの境界を検出後の経過時間は、ＴＧＩ２未満であるということである。つまり、過去「２Ｔｐ」だけ遡った時間からＴｐの間（現在の時間を「０」とすると、「−２Ｔｐ〜−Ｔｐ」の期間）の受信信号はショートシンボルであると判断する（図９のＳ４０８）。このとき、他ブランチのシンボルタイミング同期部内のカウンタ部２０３のカウンタ値は「Ｔｐ（≠ＴＧＩ２）」である。すなわち、ショートプリアンブルとロングプリアンブルの境界は、過去Ｔｐ遡った時間（現在の時間を「０」とすると、「−Ｔｐ」）以降であると判断する。
【００９０】
これは、自ブランチがショートプリアンブルとロングプリアンブルの境界であると判断した時間（現在の時間を「０」とすると、「−２Ｔｐ」）よりも少なくともＴｐだけ後となるため、他ブランチが検出したショートプリアンブルとロングプリアンブルの境界の方が正しい（すなわち、自ブランチは外部環境およびＡＧＣ動作による受信電波信号の変動により、ショートシンボルを検出できなかった）とみなし、自ブランチより少なくともＴｐだけ遅い他ブランチが検出したショートプリアンブルとロングプリアンブルの境界を自ブランチのショートプリアンブルとロングプリアンブルの境界とする。そのため、自ブランチのカウンタ部２０３のカウンタ値をＴｐだけ減少、カウンタ値を「ＴＧＩ２−Ｔｐ」に設定する（Ｓ１０１）。
【００９１】
続いて、Ｓ８に移行する。Ｓ８において、カウンタ部２０３は、カウンタ値「ＴＧＩ２−Ｔｐ」からカウンタ値「ＴＧＩ２」までの期間「Ｔｐ」の間、再びカウントすることで、自ブランチのショートプリアンブルとロングプリアンブルの境界をＴｐだけ遅らせる。
【００９２】
Ｓ９において、タイミング制御部２０４は、現在の受信信号の位置が、ロングプリアンブル内のＧＩとロングシンボルとの境界であることをＧＩ除去部１４及び２４に通知し、ＧＩ除去部１４は、現在からロングシンボル長経過するまでの復調部１１からの受信信号の標本化値を、１個目のロングシンボルの標本化値として取得し、Ｓ／Ｐ変換部１２に出力する（Ｓ９）。
【００９３】
以降は、２個目のロングシンボル、１個目のデータ部（ＩＥＥＥ８０２．１１ａ／ｇ規格の場合、１個目のデータ部はＳＩＧＮＡＬ部）、２個目のデータ部、…、最後のデータ部の順に、ガードインターバルを除いたＯＦＤＭシンボル単位で、Ｓ／Ｐ変換部１２に出力する。フレームの受信完了後（最後のデータ部の受信後）は、Ｓ１に移行し、再び処理を繰り返す。
【００９４】
（Ａ−２−３）ブランチ間の時間差を有する場合のシンボルタイミング同期部１５又は２５の動作
図５は、実施形態に係る受信機１におけるシンボルタイミング同期部１５又は２５の処理動作を示すフローチャートである。
【００９５】
ここでは、受信機１のダイバーシチブランチの各アンテナ部１０及び２０の位置が異なることにより、電波到来時刻に差が生じるため、アンテナ部１０及びアンテナ部２０に入力される信号の時間差Ｔｄｉｆｆが生じる場合を考える。
【００９６】
すなわち、｜Ｔｄｉｆｆ｜≦Ｔｄｉｆｆ，ｍａｘ（０≦Ｔｄｉｆｆ，ｍａｘ＜（ＴＧＩ２−Ｔｐ）／２）とし、Ｔｄｉｆｆ＞０の場合、アンテナ部１０に入力される信号の方がアンテナ部２０に入力される信号よりも遅いものとする。一方、Ｔｄｉｆｆ＜０の場合、アンテナ部１０に入力される信号の方がアンテナ部２０に入力される信号よりも早いものとする。
【００９７】
なお、Ｔｄｉｆｆ＝０の場合、アンテナ部１０及びアンテナ部２０に入力される信号の時間差はないことを意味しており、結果的には図４に示すフローと同様の処理となる。
【００９８】
図５において、処理Ｓ１〜Ｓ８までの動作は、図４の処理Ｓ１〜Ｓ８までの動作と同一又は対応するものであるため、ここでの詳細な説明は省略する。
【００９９】
Ｓ１０２において、タイミング制御部２０４は、他ブランチのシンボルタイミング同期部内のカウンタ部２０３のカウンタ値が「ＴＧＩ２−Ｔｄｉｆｆ，ｍａｘ」以上であるか否かを判定する（Ｓ１０２）。
【０１００】
例えば、自身がシンボルタイミング同期部１５の場合、他のブランチのシンボルタイミング同期部２５内のカウンタ２０３のカウンタ値が「ＴＧＩ２−Ｔｄｉｆｆ，ｍａｘ」以上であるか否かを判定する。また、自身がシンボルタイミング同期部２５の場合、他のブランチのシンボルタイミング同期部１５内のカウンタ２０３のカウンタ値が「ＴＧＩ２−Ｔｄｉｆｆ，ｍａｘ」以上であるか否かを判定する。
【０１０１】
これは、自ブランチの信号と他ブランチとの信号との間に発生し得る時間差Ｔｄｉｆｆを考慮した上で、自ブランチよりも遅くショートプリアンブルとロングプリアンブルの境界を検出することになる他ブランチが存在するか否かを判定する。
【０１０２】
Ｓ１０２において、他ブランチのシンボルタイミング同期部内のカウンタ値が「ＴＧＩ２−Ｔｄｉｆｆ，ｍａｘ」以上であると判定した場合、他ブランチではロングプリアンブルとショートプリアンブルの境界を検出後、「ＴＧＩ２−Ｔｄｉｆｆ，ｍａｘ」以上経過しているということであり、具体的には、以下の［１］または［２］であると判断する。
【０１０３】
［１］例えば、自ブランチがブランチ５１とし、他ブランチがブランチ５２とする。この場合、他ブランチ５２は、過去「ＴＧＩ２＋Ｔｄｉｆｆ」の間（現在の時間を「０」とすると、「−ＴＧＩ２−Ｔｄｉｆｆ〜０」の期間）の受信信号はショートシンボルではなく、これよりも前の「Ｔｐ」の間（現在の時間を「０」とすると、「−ＴＧＩ２−Ｔｄｉｆｆ−Ｔｐ〜−ＴＧＩ２−Ｔｄｉｆｆ」の期間）の受信信号が連続したショートシンボルのうち最後のショートシンボルである。すなわち、ショートプリアンブルとロングプリアンブルとの境界は、現在から「ＴＧＩ２＋Ｔｄｉｆｆ（≧ＴＧＩ２−Ｔｄｉｆｆ，ｍａｘ）」遡った時間（現在の時間を「０」とすると、「−ＴＧＩ２−Ｔｄｉｆｆ」）である。
【０１０４】
また例えば、自ブランチがブランチ５２とし、他ブランチがブランチ５１とする。この場合、他ブランチ５１は、過去「ＴＧＩ２−Ｔｄｉｆｆ」の間（現在の時間を「０」とすると、「−ＴＧＩ２＋Ｔｄｉｆｆ〜０」の期間）の受信信号はショートシンボルではなく、これよりも前の「Ｔｐ」の間（現在の時間を「０」とすると、「−ＴＧＩ２＋Ｔｄｉｆｆ−Ｔｐ〜−ＴＧＩ２＋Ｔｄｉｆｆ」の期間）の受信信号が連続したショートシンボルのうち最後のショートシンボルである。すなわち、ショートプリアンブルとロングプリアンブルとの境界は、現在から「ＴＧＩ２−Ｔｄｉｆｆ（≧ＴＧＩ２−Ｔｄｉｆｆ，ｍａｘ）」遡った時間（現在の時間を「０」とすると、「−ＴＧＩ２＋Ｔｄｉｆｆ」）である。
【０１０５】
いずれの場合でも、アンテナ部１０及びアンテナ部２０に入力される信号の時間差Ｔｄｉｆｆがない（すなわち、Ｔｄｉｆｆ＝０とすると）、他ブランチも自ブランチと同様、過去ＴＧＩ２の間（現在の時間を「０」とすると、「−ＴＧＩ２〜０」の期間）の受信信号はショートシンボルではなく、これよりも前のＴｐの間（現在の時間を「０」とすると、「−ＴＧＩ２−Ｔｐ〜−ＴＧＩ２」の期間）の受信信号が連続したショートシンボルのうち最後のショートシンボルとなる。すなわち、ショートプリアンブルとロングプリアンブルとの境界は、現在から「ＴＧＩ２」遡った時間（現在の時間を「０」とすると、「−ＴＧＩ２」）である。
【０１０６】
［２］他ブランチでは１つ前のフレームの受信完了後、一度もピークが検出されていないと判断する。この場合、Ｓ２とＳ３の間を繰り返し移行するため、Ｓ５でのカウンタの初期化はされず、前回フレーム受信時にＳ８で最後に設定された値ＴＧＩ２を維持している。なお、受信機起動時（最初のフレームを受信する前）に、カウンタ２０３の値はＴＧＩ２に設定しておくものとする。
【０１０７】
したがって、自ブランチが検出したショートプリアンブルとロングプリアンブルとの境界は正しいとみなし、Ｓ９に移行する。
【０１０８】
Ｓ１０２において、他ブランチのシンボルタイミング同期部内のカウンタ値がＴＧＩ２−Ｔｄｉｆｆ，ｍａｘ以上ではないと判定した場合、他ブランチでは、ロングプリアンブルとショートプリアンブルの境界を検出後の経過時間は、「ＴＧＩ２−Ｔｄｉｆｆ，ｍａｘ未満」であるということであり、具体的には、以下のようになる。
【０１０９】
例えば、自ブランチがブランチ５１とし、他ブランチがブランチ５２とする。この場合、他ブランチ５２は、過去「２Ｔｐ＋Ｔｄｉｆｆ」遡った時間から「Ｔｐ」の間（現在の時間を「０」とすると、「−２Ｔｐ−Ｔｄｉｆｆ〜−Ｔｐ−Ｔｄｉｆｆ」の期間）の受信信号はショートシンボルである。このとき、他ブランチのシンボルタイミング同期部内のカウンタ部２０３のカウンタ値は、「Ｔｐ＋Ｔｄｉｆｆ（＜ＴＧＩ２−Ｔｄｉｆｆ，ｍａｘ）」である。すなわち、ショートプリアンブルとロングプリアンブルの境界は、過去「Ｔｐ＋Ｔｄｉｆｆ」遡った時間（現在の時間を「０」とすると、「−Ｔｐ−Ｔｄｉｆｆ」）以降であると判断する。
【０１１０】
これは、自ブランチ５１がショートプリアンブルとロングプリアンブルの境界であると判断した時間（現在の時間を「０」とすると、「−２Ｔｐ」）よりも、少なくとも「Ｔｐ−Ｔｄｉｆｆ」だけ後となる。そのため、他ブランチ５２が検出したショートプリアンブルとロングプリアンブルの境界の方が正しいとみなすことでき、自ブランチ５１は例えば外部環境およびＡＧＣ動作による受信電波信号の変動により、ショートシンボルを検出できなかったと考えられる。そのため、自ブランチ５１より少なくとも「Ｔｐ−Ｔｄｉｆｆ」だけ遅い他ブランチ５２が検出したショートプリアンブルとロングプリアンブルの境界に、自ブランチの信号と他ブランチの信号との時間差τ＝Ｔｄｉｆｆを加算した位置自ブランチ５１のショートプリアンブルとロングプリアンブルとの境界することできる。
【０１１１】
このとき、時間差τ＞０の場合、自ブランチ５１の信号の方が他ブランチ５２の信号よりも遅いものとし、又時間差τ＜０の場合、自ブランチ５１の信号の方が他ブランチ５２の信号よりも早いものとする。また、τ＝０の場合、両ブランチの信号の時間差はないものとする。従って、自ブランチ５１のショートカウンタ２０３のカウンタ値を「Ｔｐ」減少し、カウンタ値を「ＴＧＩ２−Ｔｐ」に設定する（Ｓ１０１）。
【０１１２】
続いて、Ｓ８に移行し、カウンタ部２０３は、カウンタ値「ＴＧＩ２−Ｔｐ」から「ＴＧＩ２」までの期間「Ｔｐ」の間、再びカウントすることで、自ブランチ５１のショートプリアンブルとロングプリアンブルの境界をＴｐだけ遅らせることができる。
【０１１３】
また例えば、自ブランチがブランチ５２とし、他ブランチがブランチ５１とする。この場合、他ブランチ５１は、過去「２Ｔｐ−Ｔｄｉｆｆ」遡った時間から「Ｔｐ」の間（現在の時間を「０」とすると、「−２Ｔｐ＋Ｔｄｉｆｆ〜−Ｔｐ＋Ｔｄｉｆｆの期間）の受信信号はショートシンボルである。このとき、他ブランチ５１のシンボルタイミング同期部内のカウンタ部２０３のカウンタ値は、「Ｔｐ−Ｔｄｉｆｆ（＜ＴＧＩ２−Ｔｄｉｆｆ，ｍａｘ）」である。すなわち、ショートプリアンブルとロングプリアンブルの境界は、過去「Ｔｐ−Ｔｄｉｆｆ」遡った時間（現在の時間を「０」とすると、「−Ｔｐ＋Ｔｄｉｆｆ」）以降であると判断する。これは、自ブランチ５２がショートプリアンブルとロングプリアンブルの境界であると判断した時間（現在の時間を「０」とすると、「−２Ｔｐ」）よりも、少なくとも「Ｔｐ＋Ｔｄｉｆｆ」だけ後となるため、他ブランチ５１が検出したショートプリアンブルとロングプリアンブルの境界の方が正しいとみなす。自ブランチ５２は例えば外部環境およびＡＧＣ動作による受信電波信号の変動により、ショートシンボルを検出できなかったと考えられる。自ブランチ５２より少なくとも「Ｔｐ＋Ｔｄｉｆｆ」だけ遅い他ブランチが検出したショートプリアンブルとロングプリアンブルの境界に、自ブランチ５２の信号と他ブランチの信号との時間差τ＝−Ｔｄｉｆｆを加算した位置とする。時間差τの符号の定義は、先に述べた通りであるため、先の例とは自ブランチ５２と他ブランチ５１が入れ替わることにより、符号は逆となる。すなわち、自ブランチ５２が検出したショートプリアンブルとロングプリアンブルの境界よりもＴｐ（＝（Ｔｐ＋Ｔｄｉｆｆ）＋τ）だけ遅らせた位置を、自ブランチ５２のショートプリアンブルとロングプリアンブルの境界とする。そのため、自ブランチ５２のカウンタ部２０３のカウンタ値を「Ｔｐ」だけ減少し、カウンタ値を「ＴＧＩ２−Ｔｐ」に設定する（Ｓ１０１）。
【０１１４】
続いて、Ｓ８に移行し、カウンタ部２０３は、カウンタ値「ＴＧＩ２−Ｔｐ」から「ＴＧＩ２」までの期間「Ｔｐ」の間、再びカウントすることで、自ブランチ５１のショートプリアンブルとロングプリアンブルの境界をＴｐだけ遅らせることができる。
【０１１５】
したがって、いずれのブランチの場合でも、アンテナ部１０及びアンテナ部２０に入力される信号の時間差にかかわりなく（すなわち、時間差Ｔｄｉｆｆの値にかかわりなく）、自ブランチが検出したショートプリアンブルとロングプリアンブルの境界よりもＴｐだけ遅らせた位置を、自ブランチのショートプリアンブルとロングプリアンブルの境界とすることができる。
【０１１６】
以上のようにして、自ブランチよりも遅いショートシンボル周期で、他ブランチが検出したショートプリアンブルとロングプリアンブルの境界の位置に、自ブランチの受信信号と他ブランチの受信信号との時間差を加えることで、自ブランチのショートプリアンブルとロングプリアンブルの境界の位置とすることが可能である。
【０１１７】
また、自ブランチの受信信号と他ブランチの受信信号との時間差は、カウンタ２０３のカウンタ値により推定されるため、ショートシンボルの終端時間より、自ブランチの受信信号と他ブランチの受信信号との時間差を推定しているといえる。
【０１１８】
（Ａ−２−４）受信機１が３個以上のブランチを有する場合のシンボルタイミング同期部１５又は２５の動作
以上、ブランチ数が２個の場合のシンボルタイミング同期部の動作について説明したが、ブランチ数が３個以上の場合も、同様の動作となる。
【０１１９】
図６は、実施形態に係る受信機１が、３個以上のブランチ数を備える場合のシンボルタイミング同期部の処理動作を示すフローチャートである。
【０１２０】
図６において、処理Ｓ１〜Ｓ８までの動作は、図４及び図５の処理Ｓ１〜Ｓ８までの動作と同一又は対応するものであるため、ここでの詳細な説明は省略する。
【０１２１】
Ｓ１０２において、タイミング制御部２０４は、他の全てのブランチのシンボルタイミング同期部内のカウンタ部２０３のカウンタ値が「ＴＧＩ２−Ｔｄｉｆｆ，ｍａｘ」以上であるか否かを判定する（Ｓ１０３）。このように、自ブランチが他の全てのブランチのシンボルタイミング同期部のカウンタ部２０３のカウンタ値を判定し、それ以降の動作は図５と同様の処理を行うことにより、ブランチ数が３個以上の場合でも適用可能となる。
【０１２２】
（Ａ−２−５）シンボルタイミング同期の動作例
図１０は、この実施形態に係るシンボルタイミング同期部１５及び２５によるシンボルタイミング同期の動作例を説明する説明図である。
【０１２３】
図１０（Ａ）は、受信機１のブランチ５１における受信信号と相関値との対応関係を示しており、図１０（Ｂ）は、受信機１のブランチ５２における受信信号と相関値との対応関係を示している。
【０１２４】
図１０（Ａ−１）は、ブランチ５１において受信された受信信号の構成を示したものである。受信信号は、ショートプリアンブル、ロングプリアンブル、ＯＦＤＭシンボルを有している。ショートプリアンブルは、「ｐ１」から「ｐ１０」のショートシンボルからなり、各ショートシンボルのシンボル長は「Ｔｐ」とする。ロングプリアンブルは、ロングプリアンブルのガードインターバルである「ＧＩ２」と、ロングシンボルである「Ｐ１」及び「Ｐ２」を有している。ロングプリアンブルのガードインターバル「ＧＩ２」の時間長は「ＴＧＩ２」とする。ＯＦＤＭシンボルは、ガードインターバルである「ＧＩ」、データ部「Ｄ」を有する。例えばＩＥＥＥ８０２．１１ａ／ｇ規格の場合、最初の「Ｄ」はＳＩＧＮＡＬ部である。ＯＦＤＭシンボルは、それ以降、同じ長さのＯＦＤＭシンボルが続く。なお、図１０（Ｂ−１）に示す構成も、図１０（Ａ−１）の構成と同様である。
【０１２５】
図１０（Ａ−２）は、図１０（Ａ−１）のブランチ５１の受信信号に対応する相関値を示す。図１０（Ａ−２）は、横軸が時間を示し、縦軸が相関値を示す。また、図１０（Ａ−２）に記載の点線は、ピークを検出するための閾値Ｃｔｈである。なお、図１０（Ｂ−２）は、図１０（Ｂ−１）のブランチ５２の受信信号に対応する相関値を示す。
【０１２６】
図１０では、受信機１の各ブランチのアンテナ部１０及びアンテナ部２０に入力される信号に時間差はない場合を例示している。
【０１２７】
まず、ブランチ５１における動作を説明する。図１０（Ａ）において、ブランチ５１におけるショートシンボル「ｐ１」の入力開始位置の時間を「０」としている。ショートシンボル「ｐ１」の信号が入力されてから、カウンタ部２０３がカウントを開始し、時間「Ｔｐ」経過後に、ショートシンボル「ｐ１」の相関値が閾値Ｃｔｈを超え、ピークが検出されている。その後、ショートシンボル「ｐ２」、「ｐ３」、…、「ｐ７」に関しても、ショートシンボル「ｐ１」と同様にしてピークが検出されている。すなわち、ｐ１の開始位置の時間を「０」とした場合に時間「２Ｔｐ」、「３Ｔｐ」，…，「７Ｔｐ（＝ｔｅｎｄ，１）」でピークが検出されている。
【０１２８】
ブランチ５１において、ショートシンボル「ｐ１」の入力開始位置の時間を「０」とした場合の時間「８Ｔｐ（＝ｔｅｎｄ，１＋Ｔｐ）」の時点で、ピークが検出されない。そのため、ブランチ５１のカウンタ部２０３はカウンタ値「ＴＧＩ２」までカウントする。すなわち、カウンタ部２０３は、時間「９Ｔｐ（＝ｔｅｎｄ，１＋ＴＧＩ２）」までカウントする。
【０１２９】
このとき、ブランチ５１のタイミング制御部２０４は、ブランチ５２のカウンタ部２０３からのカウンタ値が「ＴＧＩ２」であるか否かを判定すると、ブランチ５２では、ショートシンボル「ｐ９」の相関値のピークを検出している。そのため、ブランチ５２のカウンタ部２０３のカウンタ値は「Ｔｐ」であり「ＴＧＩ２」ではない。従って、ブランチ５１では、時間「８Ｔｐ」の区間の信号がショートシンボル「ｐ８」であると判断する。
【０１３０】
次に、ブランチ５１では、時間「１０Ｔｐ（＝ｔｅｎｄ，１＋Ｔｐ＋ＴＧＩ２）」の時点でも、タイミング制御部２０４が、ブランチ５２のカウンタ部２０３からのカウンタ値が「ＴＧＩ２」であるか否かを判定する。この場合も、ブランチ５２では、ショートシンボル「ｐ１０」の相関値のピークを検出している。そのため、ブランチ５２のカウンタ部２０３のカウンタ値は「Ｔｐ」であり、「ＴＧＩ２」ではない。従って、ブランチ５１では、時間「９Ｔｐ」の区間の信号がショートシンボル「ｐ９」であると判断する。
【０１３１】
その後、ブランチ５１では、時間「１１Ｔｐ（＝ｔｅｎｄ，１＋２Ｔｐ＋ＴＧＩ２）」の時点でも、タイミング制御部２０４が、ブランチ５２のカウンタ部２０３からのカウンタ値が「ＴＧＩ２」であるか否かを判定する。この場合、ブランチ５２では、相関値のピークは検出されていないが、ブランチ５２のカウンタ部２０３のカウンタ値は「Ｔｐ」であり、「ＴＧＩ２」ではない。
【０１３２】
更に、ブランチ５１において、時間「１２Ｔｐ（＝ｔｅｎｄ，１＋３Ｔｐ＋ＴＧＩ２）」の時点で、タイミング制御部２０４が、ブランチ５２のカウンタ部２０３からのカウンタ値が「ＴＧＩ２」であるか否かを判定する。このとき、他ブランチ５２のカウント値は「ＴＧＩ２」である。そのため、ショートプリアンブルとロングプリアンブルとの境界は、時間「１０Ｔｐ」の時点であると判断する。そして、その後、ロングプリアンブルを用いた同期が行なわれ、ＧＩ除去部１４がガードインターバルを除去し、ＯＦＤＭシンボルがＯＦＤＭシンボル単位でＳ／Ｐ変換部１２に与えられる。
【０１３３】
次に、ブランチ５２における動作を説明する。ここでも、説明を容易にするため、便宜的にブランチ５１におけるショートシンボル「ｐ１」の入力開始位置の時間を「０」として説明する。
【０１３４】
ブランチ５２では、時間「５Ｔｐ」の時点で、ショートシンボル「ｐ５」の信号が入力されてから、カウンタ部２０３がカウントを開始し、時間「Ｔｐ」経過後に、ショートシンボル「ｐ５」の相関値が閾値Ｃｔｈを超え、ピークが検出されている。その後、ショートシンボル「ｐ６」、「ｐ７」、…、「ｐ１０」に関しても、ショートシンボル「ｐ５」と同様にしてピークが検出されている。すなわち、ブランチ５１の「ｐ１」の入力開始位置の時間を「０」とした場合に時間「５Ｔｐ」、「６Ｔｐ」，…，「１０Ｔｐ（＝ｔｅｎｄ，２）」でピークが検出されている。
【０１３５】
ブランチ５２において、ショートシンボル「ｐ１」の入力開始位置の時間を「０」とした場合の時間「１１Ｔｐ（＝ｔｅｎｄ，２＋Ｔｐ）」の時点で、ピークが検出されない。そのため、ブランチ５１のカウンタ部２０３はカウンタ値「ＴＧＩ２」までカウントする。すなわち、カウンタ部２０３は、時間「１２Ｔｐ（＝ｔｅｎｄ，２＋ＴＧＩ２）」までカウントする。
【０１３６】
更に、ブランチ５２において、時間「１２Ｔｐ（＝ｔｅｎｄ，２＋ＴＧＩ２）」の時点で、タイミング制御部２０４が、ブランチ５１のカウンタ部２０３からのカウンタ値が「ＴＧＩ２」であるか否かを判定する。このとき、他ブランチ５１のカウント値は「ＴＧＩ２」である。そのため、ショートプリアンブルとロングプリアンブルとの境界は、時間「１０Ｔｐ（＝ｔｅｎｄ，１＋Ｔｐ＋ＴＧＩ２）」の時点であると判断する。そして、その後、ロングプリアンブルを用いた同期が行なわれ、ＧＩ除去部１４がガードインターバルを除去し、ＯＦＤＭシンボルがＯＦＤＭシンボル単位でＳ／Ｐ変換部１２に与えられる。
【０１３７】
図１１は、この実施形態に係るシンボルタイミング同期部１５及び２５によるシンボルタイミング同期の動作例を説明する説明図である。図１１では、アンテナ部１０及びアンテナ部２０に入力される信号の時間差があり、その値はＴｄｅｌａｙ（０＜Ｔｄｅｌａｙ＜Ｔｄｉｆｆ，ｍａｘ）と仮定する。
【０１３８】
図１１（Ａ）は、受信機１のブランチ５１における受信信号と相関値との対応関係を示しており、図１１（Ｂ）は、受信機１のブランチ５２における受信信号と相関値との対応関係を示している。
【０１３９】
まず、ブランチ５１における動作を説明する。図１０（Ａ）において、ブランチ５２におけるショートシンボル「ｐ１」の入力開始位置の時間を「０」としている。ショートシンボル「ｐ１」の信号が入力されてから、カウンタ部２０３がカウントを開始し、時間「Ｔｐ」経過後に、ショートシンボル「ｐ１」の相関値が閾値Ｃｔｈを超え、ピークが検出されている。その後、ショートシンボル「ｐ２」、「ｐ３」、…、「ｐ７」に関しても、ショートシンボル「ｐ１」と同様にしてピークが検出されている。すなわち、ｐ１の開始位置の時間を「Ｔｄｅｌａｙ」とした場合に時間「Ｔｄｅｌａｙ＋２Ｔｐ」、「Ｔｄｅｌａｙ＋３Ｔｐ」，…，「Ｔｄｅｌａｙ＋７Ｔｐ（＝ｔｅｎｄ，１）」でピークが検出されている。
【０１４０】
ブランチ５１において、ショートシンボル「ｐ１」の入力開始位置の時間を「Ｔｄｅｌａｙ」とした場合の時間「Ｔｄｅｌａｙ＋８Ｔｐ（＝ｔｅｎｄ，１＋Ｔｐ）」の時点で、ピークが検出されない。そのため、ブランチ５１のカウンタ部２０３はカウンタ値「ＴＧＩ２」までカウントする。すなわち、カウンタ部２０３は、時間「Ｔｄｅｌａｙ＋９Ｔｐ（＝ｔｅｎｄ，１＋ＴＧＩ２）」までカウントする。
【０１４１】
このとき、ブランチ５１のタイミング制御部２０４は、ブランチ５２のカウンタ部２０３からのカウンタ値が「ＴＧＩ２−Ｔｄｉｆｆ．ｍａｘ」以上であるか否かを判定すると、ブランチ５２では、ショートシンボル「ｐ９」の相関値のピークを検出している。そのため、ブランチ５２のカウンタ部２０３のカウンタ値は「Ｔｄｅｌａｙ」であり「ＴＧＩ２−Ｔｄｉｆｆ．ｍａｘ」以上ではない。従って、ブランチ５１では、時間「Ｔｄｅｌａｙ＋８Ｔｐ」の区間の信号がショートシンボル「ｐ８」であると判断する。
【０１４２】
次に、ブランチ５１では、時間「Ｔｄｅｌａｙ＋１０Ｔｐ（＝ｔｅｎｄ，１＋Ｔｐ＋ＴＧＩ２）」の時点でも、タイミング制御部２０４が、ブランチ５２のカウンタ部２０３からのカウンタ値が「ＴＧＩ２−Ｔｄｉｆｆ．ｍａｘ」以上であるか否かを判定する。この場合も、ブランチ５２では、ショートシンボル「ｐ１０」の相関値のピークを検出している。そのため、ブランチ５２のカウンタ部２０３のカウンタ値は「Ｔｄｅｌａｙ」であり、「ＴＧＩ２−Ｔｄｉｆｆ．ｍａｘ」以上ではない。従って、ブランチ５１では、時間「Ｔｄｅｌａｙ＋９Ｔｐ」の区間の信号がショートシンボル「ｐ９」であると判断する。
【０１４３】
その後、ブランチ５１では、時間「Ｔｄｅｌａｙ＋１１Ｔｐ（＝ｔｅｎｄ，１＋２Ｔｐ＋ＴＧＩ２）」の時点でも、タイミング制御部２０４が、ブランチ５２のカウンタ部２０３からのカウンタ値が「ＴＧＩ２−Ｔｄｉｆｆ．ｍａｘ」以上であるか否かを判定する。この場合、ブランチ５２では、相関値のピークは検出されていないが、ブランチ５２のカウンタ部２０３のカウンタ値は「Ｔｐ＋Ｔｄｅｌａｙ」であり、「ＴＧＩ２−Ｔｄｉｆｆ．ｍａｘ」以上ではない。従って、ブランチ５１では、時間「Ｔｄｅｌａｙ＋１０Ｔｐ」の区間の信号がショートシンボル「ｐ１０」であると判断する。
【０１４４】
更に、ブランチ５１において、時間「Ｔｄｅｌａｙ＋１２Ｔｐ（＝ｔｅｎｄ，１＋３Ｔｐ＋ＴＧＩ２）」の時点で、タイミング制御部２０４が、ブランチ５２のカウンタ部２０３からのカウンタ値が「ＴＧＩ２−Ｔｄｉｆｆ．ｍａｘ」以上であるか否かを判定する。このとき、他ブランチ５２のカウント値は「ＴＧＩ２」であり、「ＴＧＩ２−Ｔｄｉｆｆ．ｍａｘ」以上となる。そのため、ショートプリアンブルとロングプリアンブルとの境界は、時間「Ｔｄｅｌａｙ＋１０Ｔｐ（＝ｔｅｎｄ，１＋Ｔｐ＋ＴＧＩ２）」の時点であると判断する。そして、その後、ロングプリアンブルを用いた同期が行なわれ、ＧＩ除去部１４がガードインターバルを除去し、ＯＦＤＭシンボルがＯＦＤＭシンボル単位でＳ／Ｐ変換部１２に与えられる。
【０１４５】
次に、ブランチ５２における動作を説明する。ここでも、説明を容易にするため、便宜的にブランチ５２におけるショートシンボル「ｐ１」の入力開始位置の時間を「０」として説明する。
【０１４６】
ブランチ５２では、時間「５Ｔｐ」の時点で、ショートシンボル「ｐ５」の信号が入力されてから、カウンタ部２０３がカウントを開始し、時間「Ｔｐ」経過後に、ショートシンボル「ｐ５」の相関値が閾値Ｃｔｈを超え、ピークが検出されている。その後、ショートシンボル「ｐ６」、「ｐ７」、…、「ｐ１０」に関しても、ショートシンボル「ｐ５」と同様にしてピークが検出されている。すなわち、ブランチ５１の「ｐ１」の入力開始位置の時間を「０」とした場合に時間「５Ｔｐ」、「６Ｔｐ」，…，「１０Ｔｐ（＝ｔｅｎｄ，２）」でピークが検出されている。
【０１４７】
ブランチ５２において、ショートシンボル「ｐ１」の入力開始位置の時間を「０」とした場合の時間「１１Ｔｐ（＝ｔｅｎｄ，２＋Ｔｐ）」の時点で、ピークが検出されない。そのため、ブランチ５１のカウンタ部２０３はカウンタ値「ＴＧＩ２」までカウントする。すなわち、カウンタ部２０３は、時間「１２Ｔｐ（＝ｔｅｎｄ，２＋ＴＧＩ２）」までカウントする。
【０１４８】
更に、ブランチ５２において、時間「１２Ｔｐ（＝ｔｅｎｄ，２＋ＴＧＩ２）」の時点で、タイミング制御部２０４が、ブランチ５１のカウンタ部２０３からのカウンタ値が「ＴＧＩ２−Ｔｄｉｆｆ．ｍａｘ」以上であるか否かを判定する。このとき、他ブランチ５１のカウント値は「ＴＧＩ２」である。そのため、ショートプリアンブルとロングプリアンブルとの境界は、時間「１０Ｔｐ」の時点であると判断する。そして、その後、ロングプリアンブルを用いた同期が行なわれ、ＧＩ除去部１４がガードインターバルを除去し、ＯＦＤＭシンボルがＯＦＤＭシンボル単位でＳ／Ｐ変換部１２に与えられる。
【０１４９】
（Ａ−３）実施形態の効果
以上のように、この実施形態によれば、電波状況の悪い場合でも、シンボルタイミング同期の誤り（誤同期、同期不検出）を低減可能であるという効果が得られる。
【０１５０】
（Ｂ）他の実施形態
上述した実施形態においても種々の変形実施形態を言及したが、本発明は、以下の変形実施形態にも適用することができる。
【０１５１】
（Ｂ−１）上述した実施形態において、図４及び図５のフローチャートは、本発明の特徴的な動作を明確にするために、シンボルタイミングの同期条件に関して、以下の３個の制約を設けて説明した。
【０１５２】
［ａ］１回でもピークを検出すれば、シンボルタイミング同期が確立したとみなす。
【０１５３】
［ｂ］ピーク検出からＴｐ経過後、ピークを検出できない場合（ショートシンボルが連続して検出されない場合）、ロングシンボルに移行したとみなす。
【０１５４】
［ｃ］ピーク検出の判定タイミングは、前回のピーク検出からＴｐ経過時のみである（これ以外のタイミングでピークが検出されても、無視される）。
【０１５５】
しかしながら、本発明は、シンボルタイミング同期に関して、詳細な条件を設定するようにしても良い。
【０１５６】
［ａ］において、例えば、シンボルタイミング同期が確立したとみなすピーク検出回数を連続でｎ回（ｎ≧２の整数）とするには、Ｓ７とＳ８の間に、「ピーク検出回数はｎ回以上？」の判定条件を入れ、Ｙｅｓの場合、Ｓ８に移行し、Ｎｏの場合、Ｓ２に移行すればよい。
【０１５７】
また、［ｂ］において、例えば、ショートシンボルの検出が１回抜けても構わないとするには、Ｓ７とＳ８の間に、「２Ｔｐまでカウント」のステップを入れ、その後、「ピーク検出信号を入力？」の判定条件をいれ、Ｙｅｓの場合、Ｓ５に移行し、Ｎｏの場合、Ｓ８に移行すればよい。
【０１５８】
また、［ｃ］において、例えば、ピーク検出の判定タイミングは、前回のピーク検出からＴｐ経過時の前後δｔまでを含む（幅２δｔのウィンドウを設ける）とした場合、ピーク検出信号が発生した時間を記録しておき、Ｓ６を「Ｔｐまでカウント」から「Ｔｐ＋δｔまでカウント」に変更し、Ｓ７を「ピーク検出信号を入力？」から「ピーク検出時間は、Ｔｐ−δｔ以上Ｔｐ＋δｔ以下？」に変更し、Ｓ１００を「他ブランチのカウント値はＴＧＩ２？」から「他ブランチのカウント値はＴＧＩ２−δｔ以上？」に変更（Ｓ１００を「他ブランチのカウント値はＴＧＩ２−Ｔｄｉｆｆ，ｍａｘ以上？」としていた場合、「他ブランチのカウント値はＴＧＩ２−Ｔｄｉｆｆ，ｍａｘ−δｔ以上？」に変更）すればよい。
【符号の説明】
【０１５９】
１…受信機、１０及び２０…アンテナ部、１１及び２１…復調部、１２及び２２…Ｓ／Ｐ変換部、１３及び２３…ＤＦＴ部、１４及び２４…ＧＩ除去部、１５及び２５…シンボルタイミング同期部、３０−１〜３０−Ｌ…ダイバーシチ合成部、３３…Ｐ／Ｓ変換部、３４…判定部、
２０１…相関部、２０２…ピーク検出部、２０３…カウンタ部、２０４…タイミング制御部。
【図１】
2015084494.tif 000003
【図２】
2015084494.tif 000004
【図３】
2015084494.tif 000005
【図４】
2015084494.tif 000006
【図５】
2015084494.tif 000007
【図６】
2015084494.tif 000008
【図７】
2015084494.tif 000009
【図８】
2015084494.tif 000010
【図９】
2015084494.tif 000011
【図１０】
2015084494.tif 000012
【図１１】
2015084494.tif 000013